(57)【要約】【課題】視度調節が可能で大きな瞳径を有しながら、全長が非常に長いにもかかわらず比較的高い視野の観察倍率が確保された接眼レンズを提供する。【解決手段】本発明では、対物レンズによって形成された像を接眼レンズにより観察するファインダー光学系ＶＦに用いられる接眼レンズＥＬにおいて、物体側から順に光軸に沿って並んだ、負の屈折力を有する第１レンズＬ１と、正の屈折力を有する両凸形状の第２レンズＬ２と、負の屈折力を有する第３レンズＬ３とを備え、第２レンズＬ２を光軸に沿って移動させることにより視度調節を行うことが可能に構成され、第１レンズＬ１および第３レンズＬ３がそれぞれ、物体側に凸面を向けたメニスカスレンズから構成され、第２レンズＬ２のｄ線に対する屈折率をｎ２としたとき、ｎ２＞１．７５の条件を満足するようになっている。【選択図】図１
2008052085.tif 000002
【特許請求の範囲】
【請求項１】
対物レンズによって形成された像を接眼レンズにより観察するファインダー光学系に用いられる接眼レンズにおいて、
物体側から順に光軸に沿って並んだ、負の屈折力を有する第１レンズと、正の屈折力を有する両凸形状の第２レンズと、負の屈折力を有する第３レンズとを備え、前記第１レンズ、前記第２レンズ、および前記第３レンズのうち少なくとも１つを光軸に沿って移動させることにより視度調節を行うことが可能に構成され、
前記第１レンズおよび前記第３レンズがそれぞれ、物体側に凸面を向けたメニスカスレンズから構成され、
前記第２レンズのｄ線に対する屈折率をｎ２としたとき、次式
ｎ２＞１．７５
の条件を満足することを特徴とする接眼レンズ。
【請求項２】
前記第２レンズにおける少なくとも一つの光学面が非球面であることを特徴とする請求項１に記載の接眼レンズ。
【請求項３】
前記第３レンズにおける物体側の面の曲率半径をＲｏ３とし、前記第３レンズにおけるアイポイント側の面の曲率半径をＲｅ３とし、Ｓ３＝（Ｒｏ３＋Ｒｅ３）／（Ｒｏ３−Ｒｅ３）の条件式で定義される前記第３レンズのシェイプファクターをＳ３としたとき、次式
Ｓ３＞２．４
の条件を満足することを特徴とする請求項１もしくは請求項２に記載の接眼レンズ。
【請求項４】
前記第１レンズのアッベ数をν１とし、前記第３レンズのアッベ数をν３としたとき、次式
３０＞（ν１＋ν３）／２
の条件を満たすことを特徴とする請求項１から請求項３のうちいずれか一項に記載の接眼レンズ。
【請求項５】
前記第１レンズ、前記第２レンズ、および前記第３レンズのうち前記第２レンズを光軸に沿って移動させることにより視度調節を行うことが可能に構成されることを特徴とする請求項１から請求項４のうちいずれか一項に記載の接眼レンズ。
【請求項６】
対物レンズによって形成された像を接眼レンズにより観察するファインダー光学系において、
前記接眼レンズが請求項１から請求項５のうちいずれか一項に記載の接眼レンズであることを特徴とするファインダー光学系。
【請求項７】
対物レンズによって形成された像を接眼レンズにより観察するファインダー光学系を備え、
前記ファインダー光学系が請求項６に記載のファインダー光学系であることを特徴とする光学機器。
【発明の詳細な説明】
【技術分野】
【０００１】
本発明は、接眼レンズに関し、特に、一眼レフファインダーに用いられる接眼レンズに関する。
【背景技術】
【０００２】
一眼レフファインダーは、撮影レンズの実像を正の屈折力の接眼レンズで観察する実像式ファインダーであり、撮影レンズの倒立像をクイックリターンミラーと呼ばれる表面鏡とペンタダハプリズムを用いて正立化し、色消しされた正レンズの接眼レンズによって観察するという構成が一般的である。撮影者の使い易さを向上させるため、一眼レフファインダーには、高い観察倍率、視度調節機能が求められている。また、暗い場所での使用や、撮影者の目と接眼レンズの射出瞳がずれていた場合を考えて、アイポイントで、約φ１０ｍｍで良好に収差補正された広い瞳を確保することも望まれている。
【０００３】
観察倍率を大きくするには、接眼レンズの焦点距離を短くすることが必要となる。しかしながら、視度を−１［１／ｍ］付近に設定することが必要なため、焦点板から接眼レンズまでの距離によって実質的な接眼レンズの焦点距離が決定されてしまう。したがって、最も単純にファインダーの観察倍率を大きくするには、ペンタプリズムの光路長を短くし、接眼レンズをペンタプリズムに接近させて配置すればよい。一方、接眼レンズのアイポイント側レンズ面頂点からアイポイントまでの距離（アイレリーフ）を十分長くとろうとすると、ペンタプリズム射出面でのケラレを少なくするためにペンタプリズムを大型化しなければならない。そのため、ペンタプリズムの光路長が長くなり、観察倍率が低下してしまう。すなわち、観察倍率を上げることと、アイレリーフを十分長くとることは、互いに相反することであった。
【０００４】
なお、正立系を介して対物レンズの結像を観察する接眼レンズには、一眼レフカメラに用いられ、アイポイント側から順に、負レンズ群（第１レンズ群）と、正レンズ群（第２レンズ群）と、負レンズ群（第３レンズ群）とを備え、第２レンズ群および第３レンズ群の屈折力を適切に設定するとともに、第２レンズ群を光軸上に沿って移動させることにより、諸収差を良好に補正しつつ、観察倍率が高く、視度調節が可能なタイプのものが知られている（例えば、特許文献１を参照）。
【特許文献１】特開２００１−３２４６８４号公報
【発明の開示】
【発明が解決しようとする課題】
【０００５】
近年、カメラのデジタル化に伴い、カメラには液晶画面や様々な電子部品が搭載され、撮像素子面またはフィルム面からカメラ後端面までの距離が大幅に長くなっている。撮影者がファインダーを覗きやすくするためには、アイポイントとカメラ後端面からの距離を十分長く確保しなくてはならないが、そのためには、接眼レンズをカメラの後端面付近に配置し、さらに、接眼レンズのアイレリーフを十分に確保する必要がある。
【０００６】
ところが、接眼レンズをカメラの後端面付近に配置すると、焦点板から接眼レンズまでの距離が長くなり、観察倍率を上げるのが困難になる。また、カメラの後端面付近に配置された接眼レンズのアイレリーフを十分に確保しようとすると、前述したように、ペンタプリズムを大型化しなければならず、ペンタプリズムの光路長（硝路長）が長くなって焦点板から接眼レンズまでの距離が長くなり、観察倍率を上げるのがさらに困難になる。このように、カメラのデジタル化に伴い、視野の高い観察倍率を確保することは非常に困難となっていた。
【０００７】
本発明は、このような問題に鑑みてなされたものであり、視度調節が可能で大きな瞳径を有しながら、比較的高い視野の観察倍率が確保された接眼レンズを提供することを目的とする。また、このような接眼レンズを備えたファインダー光学系および光学機器を提供することを目的とする。
【課題を解決するための手段】
【０００８】
このような目的達成のため、本発明では、対物レンズによって形成された像を接眼レンズにより観察するファインダー光学系に用いられる接眼レンズにおいて、物体側から順に光軸に沿って並んだ、負の屈折力を有する第１レンズと、正の屈折力を有する両凸形状の第２レンズと、負の屈折力を有する第３レンズとを備え、第１レンズ、第２レンズ、および第３レンズのうち少なくとも１つを光軸に沿って移動させることにより視度調節を行うことが可能に構成され、第１レンズおよび第３レンズがそれぞれ、物体側に凸面を向けたメニスカスレンズから構成され、第２レンズのｄ線に対する屈折率をｎ２としたとき、ｎ２＞１．７５の条件を満足するようになっている。
【０００９】
また、上述の発明において、第２レンズにおける少なくとも一つの光学面が非球面であることが好ましい。
【００１０】
さらに、上述の発明において、第３レンズにおける物体側の面の曲率半径をＲｏ３とし、第３レンズにおけるアイポイント側の面の曲率半径をＲｅ３とし、Ｓ３＝（Ｒｏ３＋Ｒｅ３）／（Ｒｏ３−Ｒｅ３）の条件式で定義される第３レンズのシェイプファクターをＳ３としたとき、Ｓ３＞２．４の条件を満足することが好ましい。
【００１１】
また、上述の発明において、第１レンズのアッベ数をν１とし、第３レンズのアッベ数をν３としたとき、３０＞（ν１＋ν３）／２の条件を満たすことが好ましい。
【００１２】
さらに、上述の発明において、第１レンズ、第２レンズ、および第３レンズのうち第２レンズを光軸に沿って移動させることにより視度調節を行うことが可能に構成されることが好ましい。
【００１３】
また、本発明に係るファインダー光学系は、対物レンズによって形成された像を接眼レンズにより観察するファインダー光学系において、接眼レンズが本発明に係る接眼レンズであることを特徴とする。
【００１４】
さらに、本発明に係る光学機器は、対物レンズによって形成された像を接眼レンズにより観察するファインダー光学系を備え、当該ファインダー光学系が本発明に係るファインダー光学系であることを特徴とする。
【発明の効果】
【００１５】
本発明によれば、視度調節が可能で大きな瞳径を有しながら、比較的高い視野の観察倍率が確保された接眼レンズを得ることができる。
【発明を実施するための最良の形態】
【００１６】
以下、本発明の好ましい実施形態について図を参照しながら説明する。本発明に係る接眼レンズＥＬおよびファインダー光学系ＶＦを備えた一眼レフカメラＣＡＭが図１３に示されている。この一眼レフカメラＣＡＭは、対物レンズＯＬと、ミラーＭと、撮影用の撮像素子ＣＣＤと、ファインダー光学系ＶＦとを備えて構成される。また、ファインダー光学系ＶＦは、物体側から順に光軸に沿って並んだ、焦点板Ｆと、コンデンサレンズＣと、ペンタプリズムＰと、接眼レンズＥＬとを有して構成され、対物レンズＯＬによって焦点板Ｆ上に形成（結像）された像を接眼レンズＥＬにより観察できるようになっている。なお、接眼レンズＥＬの後方にアイポイントＥＰが設けられる。
【００１７】
対物レンズＯＬは、被写体像を撮像素子ＣＣＤ上もしくは焦点板Ｆ上に結像する。ミラーＭは、対物レンズＯＬを通る光軸に対して４５度の角度で挿入されており、通常時（撮影待機状態）には、対物レンズＯＬを通った被写体（図示せず）からの光を反射して焦点板Ｆ上に結像させ、シャッターレリーズ時にはミラーアップ状態となって跳ね上がり、対物レンズＯＬを通った被写体（図示せず）からの光が撮像素子ＣＣＤ上に結像するようになっている。すなわち、撮像素子ＣＣＤと焦点板Ｆとは、光学的に共役な位置に配設される。
【００１８】
ペンタプリズムＰは、対物レンズＯＬによって結像された焦点板Ｆ上の被写体像（倒立像）を、上下左右反転して正立像にする。また、ペンタプリズムＰは、観察者が被写体像を正立像として観察できるようにするとともに、ファインダー光学系ＶＦをコンパクトに構成できるようにしている。焦点板ＦとペンタプリズムＰとの間にコンデンサレンズＣが設けられ、焦点板Ｆ上の被写体像をペンタプリズムＰに導いている。コンデンサレンズＣは、光束の発散を抑える正の屈折力を有しており、対物レンズＯＬの射出瞳から離れるに従い光束の広がりが大きくなることから、正立光学系や接眼光学系が大型化するのを防ぐため、対物レンズＯＬによって形成される被写体像の結像位置の近傍（例えば、本実施形態のように焦点板ＦとペンタプリズムＰとの間）に配設されている。
【００１９】
接眼レンズＥＬは、物体側から順に光軸に沿って並んだ、負の屈折力を有する第１レンズＬ１と、正の屈折力を有する両凸形状の第２レンズＬ２と、負の屈折力を有する第３レンズＬ３とから構成され、第２レンズＬ２を光軸に沿って移動させることにより視度調節を行うことができるようになっている。また、第１レンズＬ１および第３レンズＬ３は、物体側に凸面を向けた負の屈折力を有するメニスカスレンズである。
【００２０】
さて、第２レンズＬ２のｄ線に対する屈折率をｎ２としたとき、第２レンズＬ２は次の条件式（１）で表される条件を満足する。
【００２１】
ｎ２＞１．７５      …（１）
【００２２】
焦点板Ｆから接眼レンズＥＬまでの距離が大きいため、視野範囲において高い観察倍率を確保するのが非常に困難であるが、第２レンズＬ２の屈折率を大きくしつつ第１レンズＬ１をメニスカスレンズにすることで、歪曲収差およびコマ収差を補正することができ、第３レンズＬ３をメニスカスレンズにすることで、十分なアイレリーフをとりつつ所定の観察倍率を確保することが可能になる。
【００２３】
第１レンズＬ１で大きく跳ね上げられた光は、第２レンズＬ２で大きく曲げられるが、第２レンズＬ２の物体側の曲率半径が小さすぎると、球面収差が補正しきれない。条件式（１）の条件を満足するように高屈折率のガラスを選択することで、第２レンズＬ２に大きな屈折力を持たせつつも、曲率半径を大きくすることができるので、球面収差の発生を抑えられ、全体として良好な収差補正が可能となる。また、曲率半径が小さいと、外径を確保するためにレンズ厚を厚くしなければならないが、高屈折率のガラスを用いることで従来よりも第２レンズＬ２を薄型化できる。レンズの薄型化により、ペンタプリズムＰの射出面とアイポイントＥＰとの間の距離を短くすることができ、高い観察倍率の確保に繋がる。
【００２４】
またこのとき、第２レンズＬ２の光学面を非球面にすることで、球面収差をさらに良好に補正することが可能になる。特に、第２レンズＬ２の物体側の面を非球面にすることで、非球面を効果的に利用することができるため、視度調節時における各視度での球面収差およびコマ収差を良好に補正することが可能になり、視度調節時の収差変動を抑えることができる。また、第２レンズＬ２を光軸に沿って移動させることにより視度調節を行うことで、第２レンズＬ２が高屈折率を有することから、視度調節時にレンズを動かすことによる収差変動（特に、球面収差の収差変動）を少なくすることができる。
【００２５】
さらに、第３レンズＬ３は、十分なアイレリーフを確保しつつ観察倍率を高めるため、次の条件式（２）で表される条件を満足することが好ましい。
【００２６】
Ｓ３＞２．４      …（２）
【００２７】
ここで、Ｓ３は第３レンズＬ３のシェイプファクターであり、Ｓ３＝（Ｒｏ３＋Ｒｅ３）／（Ｒｏ３−Ｒｅ３）の条件式で定義される。また、Ｒｏ３は第３レンズＬ３における物体側の面の曲率半径であり、Ｒｅ３は第３レンズＬ３におけるアイポイントＥＰ側の面の曲率半径である。
【００２８】
条件式（２）は、第３レンズＬ３の形状を規定するものである。本来、第３レンズＬ３の負の屈折率が強いほど観察倍率を高めるには有利である。しかしながら、視度調節を行うためには、第１レンズＬ１の負の屈折力が強くなくてはならない。そこで、第３レンズＬ３は、負の屈折力を小さくしつつもレンズ厚を厚くし、条件式（２）を満たすような形状を取ることにより、第３レンズＬ３における物体側の面がランド光に対して正の働きをし、アイポイントＥＰ側の面が負の働きをすることで、主点をアイポイントＥＰ側にし、主点間隔を広げ、観察倍率を高めている。なお、ランド光とは、像高が零に達する光線のうち、最も光軸から離れた光線のことである。
【００２９】
また、条件式（２）の形状はアイレリーフの確保も容易にしている。さらに、条件式（２）の下限値を３．４以上にすることで、アイポイントＥＰ側から光の軌跡を考えると、斜光束に対して、第３レンズＬ３はアイポイントＥＰから光を大きく屈折させることなく第２レンズＬ２へと結び、これにより、ペンタプリズムＰの射出面での光線高を抑えてケラレを防止できることから、ペンタプリズムＰの大型化を避けることができる。
【００３０】
また、色収差を良好に補正するため、さらに、次の条件式（３）で表される条件を満足することが好ましい。
【００３１】
３０＞（ν１＋ν３）／２      …（３）
【００３２】
ここで、ν１は第１レンズＬ１のアッベ数であり、ν３は第３レンズＬ３のアッベ数である。
【００３３】
第２レンズＬ２が条件式（１）で表される条件を満足するとき、第２レンズＬ２では色収差が大きくなるため、第１レンズＬ１および第３レンズＬ３が条件式（３）で表される条件を満足することで、色収差の十分な補正が可能になる。なお、第１レンズＬ１および第３レンズＬ３が条件式（３）の上限値を上回る条件である場合、倍率色収差を補正しきれない。さらに、第１レンズＬ１および第３レンズＬ３が条件式（３）で表される条件を満足した上で、第２レンズＬ２のアッベ数ν２は、次の条件式（４）で表される条件を満足することが好ましい。
【００３４】
ν２＞４０      …（４）
【００３５】
このような構成の一眼レフカメラＣＡＭにおいて、被写体（不図示）からの光は、対物レンズＯＬを通り、ミラーＭで焦点板Ｆの方向に反射され、焦点板Ｆ上に被写体像が結像される。そして、ファインダー光学系ＶＦにおいて、焦点板Ｆ上の被写体像からの光束は、コンデンサレンズＣ、ペンタプリズムＰ、および接眼レンズＥＬを通過してアイポイントＥＰに導かれ、アイポイントＥＰにて観察者は被写体（不図示）の実像を観察することができる。また、シャッターレリーズ時には、対物レンズＯＬを通った被写体（不図示）からの光は、ミラーＭがミラーアップ状態となるため、撮像素子ＣＣＤ上に結像される。
【実施例】
【００３６】
以下、本発明の各実施例を添付図面に基づいて説明する。以下に、表１、表２、および表３を示すが、これらは本発明に係る接眼レンズの第１実施例，第２実施例および第３実施例における各レンズの諸元の表である。いずれの表においても、左端の項目は焦点板Ｆに形成される焦点面を１とする各光学面の番号（以下、面番号と称する）、ｒは各光学面の曲率半径、ｄは各光学面から次の光学面までの光軸上の距離（以下、面間隔と称する）、ｎ（ｄ）はｄ線（波長５８７．６ｎｍ）に対する屈折率、νｄはアッベ数をそれぞれ表している。
【００３７】
各表中において＊印が付される非球面は、光軸に垂直な方向の高さ（入射高）をｈ、非球面の頂点における接平面から高さｈにおける非球面上の位置までの光軸に沿った距離（非球面量）をｘ、基準球面の曲率半径（近軸曲率半径）をｒ、円錐定数をΚ、ｎ次の非球面係数をＣｎとしたとき、次の条件式（５）で表される。
【００３８】
ｘ＝（ｈ２／ｒ）／｛１＋（１−Κ・ｈ２／ｒ２）１／２｝
＋Ｃ４ｈ４＋Ｃ６ｈ６＋Ｃ８ｈ８＋Ｃ１０ｈ１０      …（５）
【００３９】
なお、表中の焦点距離ｆ、曲率半径ｒ、面間隔ｄ、その他長さの単位は「ｍｍ」である。但し、光学系は比例拡大または比例縮小しても、本発明と同等の光学性能が得られるので、これに限られるものではない。
【００４０】
また、表中の視度の単位は［１／ｍ］である。例えば、視度Ｘ［１／ｍ］とは、接眼レンズによる像がアイポイントから光軸上に１／Ｘ［ｍ（メートル）］の位置にできる状態を示している。なおこのとき、符号は、像がアイポイントより物体側にできた場合を負とする。
【００４１】
（第１実施例）
以下、本発明の第１実施例について図１〜図４および表１を用いて説明する。図１は、第１実施例に係る接眼レンズ（視度−１［１／ｍ］時）のレンズ構成図である。なお、図１（図５および図９についても同様）において、ペンタプリズムＰは厚い平行面板に展開した状態で示され、また焦点板Ｆについては焦点板Ｆに形成される焦点面Ｉのみが示されている。また、表１は第１実施例における各レンズの諸元であるが、表１における面番号１〜１１は図１における面１〜１１と対応している。
【００４２】
（表１）
面番号      ｒ          ｄ        νｄ        ｎ（ｄ）
１        ∞          2.4                   1.0000
２        ∞          4.7       56.05       1.5688
３    −65.0349       2.8                   1.0000
４        ∞        111.498     56.05       1.5688
５        ∞          0.1                   1.0000
６    399.9059        1.1       23.78       1.8467
７     42.7155       (d1)                   1.0000
８*     27.409        4.4       45.21       1.7911
９   −89.4324       (d2)                   1.0000
１０     34.2149        5.2       25.42       1.8052
１１     20.9939       (d3)                   1.0000
（非球面係数）
面番号    Κ          Ｃ４            Ｃ６            Ｃ８            Ｃ１０
８  −0.3400      0.00000        0.00000        0.00000        0.00000
（可変間隔）
視度    −１    −３    ＋１
焦点距離    73.1    70.2    76.9
ｄ１     2.8     0.7     5.4
ｄ２     3.4     5.5     0.8
ｄ３    23.7    20.7    27.7
（条件対応値）
条件式（１）ｎ２＝1.7911
条件式（２）Ｓ３＝4.18
条件式（３）（ν１＋ν３）／２＝24.5
条件式（４）ν２＝45
【００４３】
このように本実施例では、上記条件式（１）〜（４）が全て満たされていることが分かる。
【００４４】
図２、図３、および図４はそれぞれ、第１実施例において、視度が−１［１／ｍ］のときの諸収差図、視度が−３［１／ｍ］のときの諸収差図、および視度が＋１［１／ｍ］のときの諸収差図である。各収差図は、ｄ線（λ＝５８７．６ｎｍ）、ｇ線（λ＝４３５．８ｎｍ）、Ｃ線（λ＝６５６．３ｎｍ）、およびＦ線（λ＝４８６．１ｎｍ）についての結果を示しており、αは半画角を、Ｄはディオプター（視度の単位であって［１／ｍ］と同義）を示している。球面収差図では最大口径に対応するＹ２の値（軸上物体からの光線が焦点面（第１面）の次の面（第２面）に入射する入射高）を示し、非点収差図、歪曲収差図では半画角の最大値をそれぞれ示し、コマ収差図では各半画角の値を示す。
【００４５】
また、非点収差図において、実線はサジタル像面を示し、破線はメリディオナル像面を示している。以上、収差図の説明は他の実施例においても同様である。各収差図で示されるように、ファインダー光学系ＶＦの光路長が長く視度調節があるにもかかわらず、各視度での光学系の諸収差が良好に補正されている事がわかる。また、各収差図はアイポイントＥＰの瞳径をφ１０ｍｍとした場合の収差を示しているが、このような大きな瞳径において、コマ収差、球面収差、および歪曲収差が良好に補正されている事もわかる。
【００４６】
この結果、第１実施例に係る接眼レンズＥＬによれば、ペンタプリズムＰを利用する一眼レフカメラＣＡＭのファインダー光学系ＶＦにおいて、焦点板Ｆから接眼レンズＥＬまでの距離が非常に長いにもかかわらず、視度調節が可能で大きな瞳径を有しながら、比較的高い視野の観察倍率が確保された接眼レンズを得ることができる。また、このような接眼レンズＥＬを備えたファインダー光学系ＶＦおよび一眼レフカメラＣＡＭによれば、焦点板Ｆから接眼レンズＥＬまでの距離が非常に長いにもかかわらず、視度調節が可能で大きな瞳径を有しながら、比較的高い視野の観察倍率を確保することができる。
【００４７】
（第２実施例）
以下、本発明の第２実施例について図５〜図８および表２を用いて説明する。図５は、第２実施例に係る接眼レンズ（視度−１［１／ｍ］時）のレンズ構成図である。なお、第２実施例の接眼レンズは、第１実施例の接眼レンズと同様の構成であり、各部に第１実施例の場合と同一の符号を付すことにする。
【００４８】
下の表２に、第２実施例における各レンズの諸元を示す。なお、表２における面番号１〜１１は、図５における面１〜１１と対応している。また、表２において、非球面形状に形成されたレンズ面には、面番号の右に＊印を付している。
【００４９】
（表２）
面番号      ｒ          ｄ        νｄ        ｎ（ｄ）
１        ∞          2.4                   1.0000
２        ∞          4.7       56.05       1.5688
３    −65.0349       2.8                   1.0000
４        ∞        111.498     56.05       1.5688
５        ∞          0.1                   1.0000
６     500.0000       1.1       23.78       1.8467
７      42.8065      (d1)                   1.0000
８*     26.7871       5         45.46       1.8014
９    −88.4767      (d2)                   1.0000
１０      37.666        5.2       27.79       1.7408
１１        21         (d3)                   1.0000
（非球面係数）
面番号    Κ          Ｃ４            Ｃ６            Ｃ８            Ｃ１０
８  −0.3859      0.00000        0.00000        0.00000        0.00000
(可変間隔)
視度    −１    −３    ＋１
焦点距離    73.6    70.5     78
ｄ１     2.9     0.8     5.6
ｄ２     3.5     5.6     0.8
ｄ３    23.7    20.7    27.7
（条件対応値）
条件式（１）ｎ２＝1.8014
条件式（２）Ｓ３＝3.52
条件式（３）（ν１＋ν３）／２＝26
条件式（４）ν２＝46
【００５０】
このように本実施例では、上記条件式（１）〜（４）が全て満たされていることが分かる。
【００５１】
図６、図７、および図８はそれぞれ、第２実施例において、視度が−１［１／ｍ］のときの諸収差図、視度が−３［１／ｍ］のときの諸収差図、および視度が＋１［１／ｍ］のときの諸収差図である。各収差図で示されるように、ファインダー光学系ＶＦの光路長が長く視度調節があるにもかかわらず、各視度での光学系の諸収差が良好に補正されている事がわかる。また、第１実施例の場合と同様に、大きな瞳径（φ１０ｍｍ）において、コマ収差、球面収差、および歪曲収差が良好に補正されている事もわかる。
【００５２】
この結果、第２実施例に係る接眼レンズＥＬによれば、第１実施例の場合と同様の効果を得ることができる。また、このような接眼レンズＥＬを備えたファインダー光学系ＶＦおよび一眼レフカメラＣＡＭによれば、第１実施例の場合と同様の効果を得ることができる。
【００５３】
（第３実施例）
以下、本発明の第３実施例について図９〜図１２および表３を用いて説明する。図９は、第３実施例に係る接眼レンズ（視度−１［１／ｍ］時）のレンズ構成図である。なお、第３実施例の接眼レンズは、第１実施例の接眼レンズと同様の構成であり、各部に第１実施例の場合と同一の符号を付すことにする。
【００５４】
下の表３に、第３実施例における各レンズの諸元を示す。なお、表３における面番号１〜１１は、図９における面１〜１１と対応している。また、表３において、非球面形状に形成されたレンズ面には、面番号の右に＊印を付している。
【００５５】
（表３）
面番号      ｒ          ｄ        νｄ        ｎ（ｄ）
１        ∞          2.4                   1.0000
２        ∞          4.7       56.05       1.5688
３    −65.0349       2.8                   1.0000
４        ∞        111.498     56.05       1.5688
５        ∞          0.1                   1.0000
６     400.0000       1.1       22.76       1.8081
７      41.8967      (d1)                   1.0000
８*     29.9677       4.5       40.76       1.8830
９   −130.4499      (d2)                   1.0000
１０      31.0801       4.7       18.9        1.9229
１１        21         (d3)                   1.0000
（非球面係数）
面番号    Κ          Ｃ４            Ｃ６            Ｃ８            Ｃ１０
８  −0.1190      0.00000        0.00000        0.00000        0.00000
（可変間隔）
視度    −１    −３    ＋１
焦点距離    73.6    70.7    77.4
ｄ１     2.9     0.7     5.6
ｄ２     3.5     5.7     0.8
ｄ３    24.2    21.2    28.2
（条件対応値）
条件式（１）ｎ２＝1.883
条件式（２）Ｓ３＝5.17
条件式（３）（ν１＋ν３）／２＝21
条件式（４）ν２＝41
【００５６】
このように本実施例では、上記条件式（１）〜（４）が全て満たされていることが分かる。
【００５７】
図１０、図１１、および図１２はそれぞれ、第３実施例において、視度が−１［１／ｍ］のときの諸収差図、視度が−３［１／ｍ］のときの諸収差図、および視度が＋１［１／ｍ］のときの諸収差図である。各収差図で示されるように、ファインダー光学系ＶＦの光路長が長く視度調節があるにもかかわらず、各視度での光学系の諸収差が良好に補正されている事がわかる。また、第１実施例の場合と同様に、大きな瞳径（φ１０ｍｍ）において、コマ収差、球面収差、および歪曲収差が良好に補正されている事もわかる。
【００５８】
この結果、第３実施例に係る接眼レンズＥＬによれば、第１実施例の場合と同様の効果を得ることができる。また、このような接眼レンズＥＬを備えたファインダー光学系ＶＦおよび一眼レフカメラＣＡＭによれば、第１実施例の場合と同様の効果を得ることができる。
【００５９】
なお、本実施形態に係る接眼レンズは、一眼レフカメラのファインダー光学系に用いられる接眼レンズに限らず、広く実像光学系のファインダーの接眼レンズとしても利用可能である。また、上述の実施形態は例に過ぎず、上述の構成や形状に限定されるものではなく、本発明の範囲内において適宜修正、変更が可能である。
【００６０】
また、上述の実施形態において、第２レンズＬ２を光軸に沿って移動させることにより視度調節を行うことができるように構成されているが、これに限られるものではない。例えば、第１レンズＬ１を移動させたり、第１レンズＬ１および第２レンズＬ２を２つとも移動させたりして、視度調節を行うようにしてもよく、第１レンズＬ１、第２レンズＬ２、および第３レンズＬ３のうち少なくとも１つを光軸に沿って移動させることにより視度調節を行うことができるように構成されていればよい。
【図面の簡単な説明】
【００６１】
【図１】第１実施例に係る接眼レンズのレンズ構成図である。
【図２】第１実施例における視度が−１［１／ｍ］のときの諸収差図である。
【図３】第１実施例における視度が−３［１／ｍ］のときの諸収差図である。
【図４】第１実施例における視度が＋１［１／ｍ］のときの諸収差図である。
【図５】第２実施例に係る接眼レンズのレンズ構成図である。
【図６】第２実施例における視度が−１［１／ｍ］のときの諸収差図である。
【図７】第２実施例における視度が−３［１／ｍ］のときの諸収差図である。
【図８】第２実施例における視度が＋１［１／ｍ］のときの諸収差図である。
【図９】第３実施例に係る接眼レンズのレンズ構成図である。
【図１０】第３実施例における視度が−１［１／ｍ］のときの諸収差図である。
【図１１】第３実施例における視度が−３［１／ｍ］のときの諸収差図である。
【図１２】第３実施例における視度が＋１［１／ｍ］のときの諸収差図である。
【図１３】本発明に係る接眼レンズおよびファインダー光学系を備えた一眼レフカメラの概略構成図である。
【符号の説明】
【００６２】
ＣＡＭ  一眼レフカメラ（光学機器）        ＶＦ  ファインダー光学系
ＯＬ  対物レンズ
ＥＬ  接眼レンズ                        Ｌ１  第１レンズ
Ｌ２  第２レンズ                        Ｌ３  第３レンズ
【図１】
2008052085.tif 000003
【図２】
2008052085.tif 000004
【図３】
2008052085.tif 000005
【図４】
2008052085.tif 000006
【図５】
2008052085.tif 000007
【図６】
2008052085.tif 000008
【図７】
2008052085.tif 000009
【図８】
2008052085.tif 000010
【図９】
2008052085.tif 000011
【図１０】
2008052085.tif 000012
【図１１】
2008052085.tif 000013
【図１２】
2008052085.tif 000014
【図１３】
2008052085.tif 000015